(57)【要約】【課題】瓦を降ろすことなく短期間で完成でき、かつ大地震においても崩落することのない耐震・耐風補強棟を提供する。【解決手段】棟瓦１の外周面とそれに続く桟瓦２の表面に塗膜防水材を吹きつけて密着被膜１３を形成し、棟瓦１と桟瓦２を一体的に固定する。棟瓦１を桟瓦２とともに密着被膜１３で覆うことにより、棟が崩落することを防止できる。吹き付け工法を採用することにより、複雑な形状をなす棟瓦１にも簡単に密着被膜を形成でき、作業効率の向上・工期の大幅な短縮を図ることができる。塗膜防水材としては、発泡性ウレタン樹脂や、非発泡性のアクリル樹脂を用いることができる。本発明は、応急的な補修に有効である。【選択図】図４
2013040506.tif 000002
【特許請求の範囲】
【請求項１】
棟瓦の外周面とそれに続く桟瓦の表面に塗膜防水材を吹きつけて密着被膜を形成し、棟瓦と桟瓦を一体的に固定したことを特徴とする耐震・耐風補強棟。
【請求項２】
上記密着被膜を棟瓦から上部３段目の桟瓦に亘って形成したことを特徴とする請求項１記載の耐震・耐風補強棟。
【請求項３】
上記密着被膜を棟から軒先まで形成したことを特徴とする請求項１記載の耐震・耐風補強棟。
【請求項４】
上記桟瓦は瓦固定用のねじで屋根に固定されたものであることを特徴とする請求項１〜３のいずれかに記載の耐震・耐風補強棟。
【請求項５】
塗膜防水材は発泡剤を含有する速硬化性ウレタン樹脂からなることを特徴とする請求項１〜４のいずれかに記載の耐震・耐風補強棟。
【請求項６】
塗膜防水材は非発泡性のアクリル樹脂からなり、瓦と瓦の境界部分に弾性接着剤が充填され、かつ台のしの下側から露出する葺き土の表面に弾性接着剤とバックアップ材とが充填されていることを特徴とする請求項１〜４のいずれかに記載の耐震・耐風補強棟。
【発明の詳細な説明】
【技術分野】
【０００１】
本発明は、瓦屋根の棟の耐震・耐風性能を大幅に向上させた耐震・耐風補強棟に関するものである。
【背景技術】
【０００２】
瓦屋根の棟は、屋根の最上部に位置する関係上、台風時の強風や地震による水平力の影響を受けやすい。我が国では古くから主として瓦屋根の耐風対策がなされてきたが、昭和５３年に発生した宮城県沖地震以来、大地震の揺れを想定して緊結部品の改良やコンクリートで棟を固める工法、棟金具工法等の棟強化工法を採用し、棟の耐震性能の強化がなされてきている。しかし、瓦屋根は耐久性があるため、未だ昔ながらの耐風対策しかしていない大回し工法や千鳥しばり工法によって施工された家屋も多い。これらの工法は、棟積みにおいて一番下に位置する台のしの上から銅線を出し、上部の熨斗瓦と冠瓦とをまとめて鉢巻状に緊結するため、台のしは葺き土を介して上下の瓦と固定されているのみである。さらに棟際では、瓦の割り付けの関係上、桟瓦を切断した半端な長さの瓦を施工するのが実情である。本来、桟瓦には瓦桟に引っ掛かる突起部と釘穴が形成されており、この突起部の引っ掛かりと釘等による緊結により瓦が傾斜方向に滑り落ちることを防いでいるが、半端瓦は切断により突起部・釘穴のいずれも残っておらず葺き土で固定されているのみである。その結果、大規模地震による水平力がかかると棟が崩落するという問題があった。
【０００３】
この問題を根本から解決するには、既設の棟を内側から補修しなければならないが、その場合一旦葺かれた棟瓦を降ろした上で工事を行う必要があるので、工期が長期化し、さらに施工コストも多額となる。そこで瓦を降ろさずに外側から棟を補強する方法として、特許文献１に示す技術が提案されている。
【０００４】
特許文献１の補強方法は、棟瓦と桟瓦の表面に弾性接着剤（いわゆるシリコーンコーキング材）を付着させて固める方法であるが、この方法は部分的な接着なので接着力が十分でなく、大地震に耐え得るほどの耐力に乏しく、また、施工に多くの時間がかかるという問題があった。
【０００５】
また特許文献２には、桟瓦の表面にＦＲＰ層（強化プラスチック層）とウレタン樹脂層とを形成して桟瓦全体を一体化する方法が開示されている。この方法では、広範囲にシート状のガラス繊維を敷設したうえでウレタン樹脂を含浸させる必要がある。しかし、桟瓦を敷き詰めた屋根はデコボコしているためシート材による補強が難しく、さらにその方法を棟のような複雑な形状に適用することは一層困難であるという問題があった。
【先行技術文献】
【特許文献】
【０００６】
【特許文献１】特開２００７−３９９５３号公報
【特許文献２】特開平５−３２１４８３号公報
【発明の概要】
【発明が解決しようとする課題】
【０００７】
従って本発明の目的は前記した従来の問題点を解決し、瓦を降ろすことなく比較的短期間で安価に施工することができ、しかも台風のみならず大地震によっても崩落することのない耐震・耐風補強棟を提供することである。
【課題を解決するための手段】
【０００８】
上記課題を解決するためになされた本発明は、棟瓦の外周面とそれに続く桟瓦の表面に塗膜防水材を吹きつけて密着被膜を形成し、棟瓦と桟瓦を一体的に固定したことを特徴とするものである。また、請求項２のように、上記密着被膜を棟瓦から上部３段目の桟瓦に亘って形成したり、請求項３のように、密着被膜を棟から軒先まで広げてもよい。
【０００９】
さらに、請求項４のように、上記桟瓦を瓦固定用のねじで屋根に固定し、その上面に密着被膜を形成することもできる。また請求項５のように、塗膜防水材として、発泡剤を含有する速硬化性ウレタン樹脂を用いてもよく、あるいは請求項６のように、非発泡性のアクリル樹脂を用いてもよい。非発泡性のアクリル樹脂を用いる場合には、棟を構成する瓦間及びそれに連接する桟瓦との境界部分に予め弾性接着剤（コーキング材）又はバックアップ材を充填しておくことが好ましい。
【発明の効果】
【００１０】
本発明に係る耐震・耐風補強棟は、棟瓦とそれに続く桟瓦の表面に塗膜防水材を吹きつけて密着被膜を形成したものである。これにより、棟瓦と桟瓦は一体的に固定されるので、強風や地震により棟に水平力がかかっても、桟瓦の部分が左右の脚部となって踏ん張りが効くようになり、棟が崩落することがなくなる。また、吹き付け工法により棟の複雑な形状の部分にも容易に密着被膜を形成することができるので、作業効率が向上し、大きい屋根であっても短期間に施工することができる。さらに棟自体が旧来の工法により構築されたものであっても、棟をそのままにして外側から補強することができるので、どのような棟にも適用可能である。
【００１１】
また、請求項２や３のように、塗膜防水材の吹き付け範囲を適宜変更することにより、家屋の耐震強度や予算に合わせた施工を行うことができる。さらに、請求項４のように、吹き付け前に桟瓦を瓦固定用のねじで固定しておけば、このねじのアンカー効果により棟の耐震強度を一層高めることができる。
【００１２】
また、請求項５のように、塗膜防水材として発泡剤を含有する速硬化性ウレタン樹脂を用いてもよい。このウレタン樹脂は吹き付けから数分間で硬化するので工期を大幅に短縮できる。また、屋根瓦が濡れていても硬化するので天候に左右されずに施工できる。さらに発泡剤により肉厚の被膜を形成するので、瓦と瓦の境界部分に充填剤を施す必要がなく経済的である。また、請求項６のように、塗膜防水材として非発泡性のアクリル樹脂を用いることもできる。このアクリル樹脂は吹き付けによりほぼ無色透明の薄膜となるので、屋根瓦の外観を損なうことがない。なお、アクリル樹脂の吹き付け前に瓦と瓦の境界部分に弾性接着剤を、台のしの下側から露出する葺き土の表面には弾性接着剤とバックアップ材とを充填することにより、被膜の密着性・強度を更に増すことができる。
【図面の簡単な説明】
【００１３】
【図１】密着被膜を棟瓦から棟下３段目の桟瓦にかけて形成した瓦屋根の正面図である。
【図２】密着被膜を棟から軒先にかけて形成した瓦屋根の正面図である。
【図３】密着被膜形成前の瓦屋根の要部拡大断面図である。左半部は棟下の桟瓦として半端瓦を葺設したものである。
【図４】密着被膜形成後の瓦屋根の要部拡大断面図である。
【図５】密着被膜を棟瓦から棟下３段目の桟瓦にかけて形成した瓦屋根の要部断面図である。
【図６】一部に密着被膜を形成した隅棟の斜視図である。
【発明を実施するための形態】
【００１４】
以下に本発明の好ましい実施形態を示す。
図１は瓦屋根の正面図であり、１は棟瓦、２は桟瓦、３は袖瓦、４は軒瓦である。本実施形態では、棟瓦１は、棟積みに使われる熨斗瓦５、棟の最上部に葺かれる雨仕舞い用の冠瓦６、棟端を飾る鬼瓦７によって構成され、積み上げられた熨斗瓦５の上に冠瓦６が配され、棟端に鬼瓦７が据えられる。熨斗瓦５のうち、棟積みにおいて一番下に位置する熨斗瓦は台のし８といわれる。図３に示すように、台のし８を除く熨斗瓦５と冠瓦６は、大回し工法により緊結線９で鉢巻状にひとくくりに緊結されている。台のし８は、棟の内部に敷き詰められた葺き土１０を介して棟下の桟瓦２Ａと連結している。この葺き土１０は台のし８の側壁よりも内側に形成されているので、台のし８の下側には窪みが生じる。なお、桟瓦２Ａには、瓦の割り付けの関係上、棟方向に切断した半端瓦１７や勝手瓦と呼ばれる瓦を用いる。本来桟瓦２には瓦桟１１に引っ掛かる突起部１２と釘穴１９が形成されているが、すべての桟瓦２が釘１８等で固定されているとは限らない。また図３左半部のように、切断により棟下の桟瓦２Ａには突起部１２・釘穴１９のいずれも残っていないことがある。そのため、半端瓦１７は葺き土１０で単に埋められて固定されているに過ぎないのが普通である。通常は桟瓦２Ａは耐風対策上、棟瓦１で押えられており、割り付けの必要がないため、半端瓦１７の状態である。棟瓦１の基礎にあたるこの部分の留付けが耐震性を左右する。
【００１５】
本発明は、従来の方法で緊結した棟瓦１をそれに続く桟瓦２とともに密着被膜１３で覆うことにより棟の崩落を防止するものである。この密着被膜１３は、塗膜防水材を吹き付けて形成される。この吹き付け工法により、瓦特有の複雑な形状にも満遍なく被膜を形成できる。なお、図４及び図５のように、塗膜防水材を吹き付ける前に桟瓦２を瓦固定用のねじ１４で固定しておけば、瓦固定用のねじ１４のアンカー効果により棟の耐震強度を高めることができる。また、瓦固定用のねじ１４の上面は防水効果のある密着被膜１３により覆われるので、図４及び５のように桟瓦２の山の部分にねじ１４を設けた場合はもちろん、谷の部分に設けても雨水が侵入するおそれもない。この場合、本実施形態のように、ねじ１４を瓦桟１１に打ち込むようにすれば、野地板に固定する場合に比べより強固に固定される。
【００１６】
本発明に用いられる塗膜防水材の材質の代表例としては、発泡剤を含有する速硬化性ウレタン樹脂や、非発泡性のアクリル樹脂を挙げることができる。このウレタン樹脂は、ポリエーテルポリオール液とジイソシアネート液から構成され、例えば商品名「プルーフロンＱＳ」として日本特殊塗料株式会社から市販されているものを用いることができる。このウレタン樹脂は塗装後数分で硬化するため、老朽化の進んだ瓦屋根等、緊急的に補修が必要な場合に適している。さらに屋根が濡れている場合でも施工を行えるという利点を有する。また、発泡剤により樹脂が膨らんで、瓦間の隙間や台のし８の下側の窪みを埋めることができるので、事前のコーキング処理が不要である。
【００１７】
しかしこのウレタン樹脂は有色不透明であるため、瓦屋根に特有の美観を覆い隠してしまうおそれがある。そこで屋根の美観を重視する場合には、ウレタン樹脂に替えてアクリル樹脂を用いることもできる。このアクリル樹脂は、ガラス繊維入りのアクリル樹脂エマルジョンを主成分とし、例えば商品名「エバーガードＦ」として株式会社ダイフレックスから市販されているものを用いることができる。このアクリル樹脂は、ほぼ無色透明であるので、屋根瓦に塗布してもほとんど見た目に変化はない。そのため、瓦の美観を保持しながら棟の耐震強度を高めることができる利点がある。
【００１８】
なお、このアクリル樹脂は発泡剤が含まれていないので、瓦間の隙間や台のし８の下側の窪みを十分に埋めきれない場合も生じ得る。そこで図４に示すように、アクリル樹脂を吹き付ける前に、瓦と瓦の境界部分に弾性接着剤１５を充填し、さらに台のしの下側から露出する葺き土１０の表面にはバックアップ材１６を併用してコーキング処理しておくことが望ましい。これにより、瓦と瓦の境界部分の凹部や台のし８の下側の窪みを埋めることができるので、アクリル樹脂の塗残しを防ぐことができ、結果的に被膜強度も高めることができる。なお、塗膜防水材は上記のものに限定されるものではなく、吹き付けにより密着被膜１３を形成できる樹脂材料であれば、その他の樹脂材料を使用しても差支えない。またバックアップ材１６としては、モルタルや発泡スチロールを用いることができる。
【００１９】
塗膜防水材の吹付範囲については、棟部のみ補強する場合には図１に示すように棟瓦１から上部３段目の桟瓦２及び対応する袖瓦３までとしてもよいし、図２に示すように屋根瓦全体としてもよい。図１に示す構造とすれば、棟瓦１とその両側の桟瓦２を一体化することができ、比較的少量の塗膜防水材により、十分な耐震強度を得ることができる。また図２に示すように屋根瓦全体を一体化すれば、さらに耐震強度を高めることができる。
【００２０】
なお、以上に屋根の頂点にある水平の棟（いわゆる大棟）の補強について説明したが、大棟以外の棟にも同様の補強を行うことができる。例えば、図６に示すように寄棟や入母屋などの屋根にできる斜めに傾斜した棟（いわゆる隅棟）では、棟際に桟瓦２を対角線上に切断した三角形の半端瓦１７を施工する。桟瓦２には下側に１箇所の欠き込みがあり、この部分が隣接する瓦とかみ合って固定されるのである。しかし、流れ方向の右側に葺かれる半端瓦１７は欠き込みが切断されてかみ合わせを失うにもかかわらず葺き土１０や接着剤で固定されているのみである。しかも屋根の構造上、隅棟は斜めに傾斜しているため、大棟以上に崩落の危険性が高い。この隅棟も上記補強を施せば、大棟と同様に簡単に棟の強度を増すことができる。
【００２１】
以上に説明したように、本発明に係る耐震・耐風補強棟は、棟瓦とその他の部位、例えば桟瓦とを密着被膜で覆い一体化することにより、台風襲来時や地震の際に棟が崩落することを防止できる。また、吹き付け工法を採用したことにより、複雑な形状であっても短期間で、かつ安価に耐震補強工事を行うことができる等の利点を有する。従って本格的な補強にも、応急的な補修にも適用することができる実用性に優れたものである。
【符号の説明】
【００２２】
１  棟瓦
２，２Ａ  桟瓦
３  袖瓦
４  軒瓦
５  熨斗瓦
６  冠瓦
７  鬼瓦
８  台のし
９  緊結線
１０  葺き土
１１  瓦桟
１２  突起部
１３  密着被膜
１４  ねじ
１５  弾性接着剤
１６  バックアップ材
１７  半端瓦
１８  釘
１９  釘穴
【図１】
2013040506.tif 000003
【図２】
2013040506.tif 000004
【図３】
2013040506.tif 000005
【図４】
2013040506.tif 000006
【図５】
2013040506.tif 000007
【図６】
2013040506.tif 000008